(57)【要約】【課題】複数枚連結された袋体をその開口部が開いた状態で順に取り出すことができ、連結箇所を簡便に破断することができるとともに、最初の袋体を簡易に取り出すことができ、次の袋体を取り出し口において確実に保持することができるようにする。【解決手段】複数積層されたシート状の袋体と、この袋体の収納容器１とを有し、積層袋体の上下方向に隣接する袋体の開口部側を連結するとともに、収納容器１に袋体取り出し口部２を設けている。収納容器１の取り出し口部２は、最初の袋体を取り出すために必要な広域部分となる舌状開口部２ａと、この舌状開口部２ａの拡口側に連続して形成され、続く袋体を引き出すために必要な狭域部分となるスリット状開口部２ｂからなっている。【選択図】図１
2008290770.tif 000002
【特許請求の範囲】
【請求項１】
複数積層されたシート状の袋体と、この袋体の収納容器とを有し、
前記積層袋体の上下方向に隣接する袋体の開口部側を連結し、前記収納容器に前記袋体の取り出し口部を設けるとともに、
前記収納容器の取り出し口部は、最初の袋体を取り出すために必要な広域部分と、続く袋体を引き出すために必要な狭域部分を有していることを特徴とする袋体収納構造。
【請求項２】
前記積層袋体は、上下方向に隣接する袋体の開口部側の一部を連結するとともに、各袋体の開口部側を除いた部分を折り畳んで積層することを特徴とする請求項１に記載の袋体収納構造。
【請求項３】
前記広域部分は舌状開口部であり、前記狭域部分は前記舌状開口部の拡口側に連続して形成されるスリット状開口部であることを特徴とする請求項１又は２に記載の袋体収納構造。
【請求項４】
前記スリット状開口部は、前記収納容器に収納される袋体の幅方向に形成されていることを特徴とする請求項３に記載の袋体収納構造。
【請求項５】
複数連結された袋体の収納容器であって、
前記収納容器に設けられる袋体の取り出し口部は、最初の袋体を取り出すために必要な広域部分と、続く袋体を取り出すために必要な狭域部分から成っていることを特徴とする袋体収納容器。
【請求項６】
前記広域部分は舌状開口部であり、前記狭域部分は前記舌状開口部の拡口側に連続して形成されるスリット状開口部であることを特徴とする請求項５に記載の袋体収納容器。
【請求項７】
前記スリット状開口部は、前記収納容器に収納される袋体の幅方向に形成されていることを特徴とする請求項６に記載の袋体収納容器。
【発明の詳細な説明】
【技術分野】
【０００１】
本発明は、開口部が開口した状態で袋体を取り出すことができる袋体収納構造及び複数連結された袋体を収納するに適した袋体収納容器に関するものである。
【背景技術】
【０００２】
食料品等の包装袋である薄手のポリエチレン袋体を複数枚折り畳んで収納容器に収納したものが市販されている。たとえば特許文献１には、複数の包装袋を特殊な構造に折り畳んで重ね合わせ、ケース内に収納することにより、包装袋を袋口部側から順に取り出せるようにしたものが提案されている。しかしながら、このような収納方法は、袋口部の両面シートが密着しているため、シートが薄手になるほど開口部を広げる作業が煩わしいという問題や、包装袋を複雑に折り畳むために製造コストが高くなるという問題もある。
【０００３】
また特許文献２には、包装袋に剛性を有する口部部材を設けたものが提案されているが、製造コストが高くなり、口部部材の構造によっては包装袋への収納物も制限される等の問題がある。また同特許文献の収納箱には、包装袋を取り出すための長楕円形の取出孔と、前記口部部材を摘むための小さな口部孔から成る取り出し口部が形成されている。しかしながら、包装袋が薄手のプラスチック袋になると、長楕円形の取り出し口では最初の包装袋を摘みだすのに開口幅が狭すぎて不便であり、次の包装袋を保持するには開口幅が広すぎて次の包装袋が容器内に入り込んでしまうという問題等がある。
【０００４】
【特許文献１】実開昭６０−１６３２７５号公報
【特許文献２】特開２００３−３４３２５号公報
【発明の開示】
【発明が解決しようとする課題】
【０００５】
本発明は、このような問題を解決するために提案されたものであり、複数枚連結された袋体をその開口部が開いた状態で順に取り出すことができ、連結箇所を簡便に破断することができるとともに、最初の袋体を簡易に取り出すことができ、次の袋体を取り出し口において確実に保持することができる袋体収納構造及び袋体収納容器を提供するものである。
【課題を解決するための手段】
【０００６】
上記課題を解決するために、請求項１の発明の袋体収納構造は、
複数積層されたシート状の袋体と、この袋体の収納容器とを有し、
前記積層袋体の上下方向に隣接する袋体の開口部側を連結し、前記収納容器に前記袋体の取り出し口部を設けるとともに、
前記収納容器の取り出し口部は、最初の袋体を取り出すために必要な広域部分と、続く袋体を引き出すために必要な狭域部分を有していることを特徴とする。
【０００７】
袋体は、ポリプロピレン、ビニール、ポリエチレン等の合成樹脂シート、紙製シート等であり、筒状のシート又は上下二枚のシートを重ね合わせ、適所をシールして袋体としている。袋体は、開口部の他端部を密封した有底袋のほかに、両端部を開口部とした筒状袋も含まれる。袋体の種類は包装袋、収納袋、手提げ袋、被覆用筒袋等、任意である。シート厚は薄くなるほど両面が密着しやすくなり、本発明の有効性が高まる。各袋体の開口部側の連結方法は、溶着又は接着してもよいし、開口部側に破断線を入れるなどして両袋体を一体成形してもよい。
【０００８】
袋体取り出し口部の構成を上述のようにすると、開口面積の広い広域部分で最初の袋体を摘んで容易に取り出すことができ、続く袋体は、開口面積の狭い狭域部分で開口部側の端部がはみ出た状態で保持されるため、その後の袋体の取り出しが容易になる。広域部分と狭域部分の形状は、ここでは特に限定されない。なお、ここでの袋体収納容器の形状は特に限定されるものではなく、紙製、プラスチック製、木製等とすることができる。
【０００９】
また請求項２の発明の袋体収納構造は、前記積層袋体が、上下方向に隣接する袋体の開口部側の一部を連結するとともに、各袋体の開口部側を除いた部分を折り畳んで積層することを特徴とする。
【００１０】
このようにすると、連結した袋体を容易に切り離すことができ、製造コストも安くすむ。また複数の袋体を収納容器にコンパクトに収納でき、一枚の袋体をスムースに引き出すことができる。
【００１１】
また請求項３の発明の袋体収納構造は、前記広域部分は舌状開口部であり、前記狭域部分は前記舌状開口部の拡口側に連続して形成されるスリット状開口部であることを特徴とする。
【００１２】
このような取り出し口部の形状は、上述した袋体の取り出しと保持を確実に実現できるとともに、収納容器に一回の切り抜き加工で簡単に形成することができる。またスリット上開口部のエッジ部を利用して、取り出した側の袋体を強く水平方向に引き、袋体の連結部を容易に破断することができる。
【００１３】
また請求項４の発明の袋体収納構造は、前記スリット状開口部は、前記収納容器に収納される袋体の幅方向に形成されていることを特徴とする。このようにすると、袋体の取り出しと保持を確実におこなうことができる。
【００１４】
一方、請求項５の袋体収納容器によれば、
複数連結された袋体の収納容器であって、
前記収納容器に設けられる袋体の取り出し口部は、最初の袋体を取り出すために必要な広域部分と、続く袋体を取り出すために必要な狭域部分を有していることを特徴とする。
【００１５】
また請求項６の袋体収納容器によれば、前記広域部分は舌状開口部であり、前記狭域部分は前記舌状開口部の拡口側に連続して形成されるスリット状開口部であることを特徴とする。
【００１６】
また請求項７の袋体収納容器によれば、前記スリット状開口部は、前記収納容器に収納される袋体の幅方向に形成されていることを特徴とする。
【００１７】
このような袋体収納容器に、複数連結した袋体を折り畳んで収納することにより、最初の袋体を容易に取り出すことができ、続く袋体を確実に保持することができるとともに、袋体の連結部を破断しやすくなることは上述の通りである。
【発明の効果】
【００１８】
本発明によれば、複数枚連結された袋体をその開口部が開いた状態で順に取り出すことができ、連結箇所を簡便に破断することができる。また最初の袋体を簡易に取り出すことができ、続く袋体を取り出し口において確実に保持することができる等の効果がある。
【発明を実施するための最良の形態】
【００１９】
以下本発明の実施態様を添付図面に従って説明する。図１は本発明の袋体収納容器１の全体斜視図であり、厚紙で箱形に構成されている。この収納容器１の上面部のほぼ中央部には袋体取り出し口部２が開口されている。取り出し口部２は、使用前は封止されており、収納容器１の上面部に取り出し口部２の形状に沿った破断線を形成し、使用時に破断線を破断して取り出し口部２を開口するようにしてもよい。
【００２０】
取り出し口部２は、図２に模式的に示すように、広域部分である舌状開口部２ａと、狭域部分であるスリット状開口部２ｂが連続して形成されている。スリット状開口部２ｂは、舌状開口部２ｂの拡口側（上部側）に左右両側方向に延びるように連続して形成されている。スリット状開口部２ｂは、袋体収納容器１に収納される袋体３の幅方向に延びている。舌状開口部２ｂは、最初の一枚目の袋体を取り出すための開口部であり、スリット状開口部２ｂは、続く２枚目以降の袋体を保持するための開口部である。
【００２１】
袋体収納容器１には、図３に示すように袋体３，３０が複数枚連結され、これらが積み重ねられて収納されている。袋体３（袋体３０も同じ）は、ここではポリエチレン製の筒状の上下面シートの後端部３ｂを密封し、他端部を開口部３ａとしたものである。
【００２２】
これら上下方向に隣接する袋体３，３０は、開口部３ａ，３０ａ側が連結されており、図３及び図４に模式的に示すように、上側袋体３の下面部３ｃと下側袋体３０の上面部３０ｂが各開口部３ａ、３０ａの中央部において部分的に溶着されている。図中、３１は溶着部を示している。
【００２３】
各袋体３（袋体３０も同じ）は、図５（ａ）に示すように後端部３ｂ側が三つ折りにされ、この状態で複数枚積層され、袋体３の幅方向を収納容器１の長手方向に向けて収納されている。
【００２４】
袋体収納容器１から袋体３を取り出すときは、舌片状開口部２ａから最初の一枚目を摘んで取り出す。このとき、上述のように取り出す側の袋体３の開口部３ａ側の一部が、次の袋体３０の開口部側３０ａと溶着部３１で連結されているため、図５に示すように、取り出す側の袋体３は、開口部３ａが徐々に開口しながら引き出される。図６は、袋体収納容器１の取り出し口部２から袋体３を取り出した状態を示している。
【００２５】
この袋体３をスリット状開口部２ｂ側に引き寄せて、次の袋体３０の開口部３０ａ側との溶着部３１を手で破断するか、次の袋体３０を手で押さえながら、取り出す側の袋体３をスリット状開口部２ｂのエッジ部に沿わせて水平方向に強く引っ張ることにより溶着部３１を破断することができる。
【００２６】
図７は、袋体３，３０がポリエチレン製の手提げ袋の場合を示している。手提げ袋の場合は、開口部３ａの中央部に有するタブ部３ｅを溶着等により連結してもよい。
【００２７】
上述した実施態様は、本発明を例示的に示したものであり、袋体３（３０）の形状、袋体の連結方法、袋体取り出し口部２の形状等は図示したものに限定されるものではない。
【図面の簡単な説明】
【００２８】
【図１】本発明の袋体収納容器の全体斜視図である。
【図２】本発明の袋体取り出し口部の拡大説明図である。
【図３】本発明の袋体収納容器に収納される袋体の説明図である
【図４】本発明の袋体の連結状態の説明図である。
【図５】本発明の袋体の開口部が開口する様子を示した斜視図である。
【図６】本発明の袋体収納容器から袋体を取り出す様子を示した斜視図である。
【図７】袋体が手提げ袋の場合の開口部が開口する様子を示した斜視図である。
【符号の説明】
【００２９】
１は袋体収納容器
２は袋体取り出し口部
２ａは舌片状開口部
２ｂはスリット状開口部
３，３０は袋体
３ａ，３０ａは開口部
３ｃは袋体３の下面部
３０ｂは袋体３０の上面部
３１は溶着部
【図１】
2008290770.tif 000003
【図２】
2008290770.tif 000004
【図３】
2008290770.tif 000005
【図４】
2008290770.tif 000006
【図５】
2008290770.tif 000007
【図６】
2008290770.tif 000008
【図７】
2008290770.tif 000009